(57)【要約】      （修正有）【課題】混合装置などに取り付けられる開閉自在の蓋の開閉状態を容易に確認するための確認装置に関し、蓋の開閉状態を判断するリミットスイッチ間の距離が、パッキンの変形量に基づく距離であって、非常に微小量距離であり、シビアな開閉判定となってしまう。【解決手段】蓋２へ取り付けられる突部５と、本体１へ取り付けられ前記突部を受ける受け部６を設け、該受け部が、突部に当接する受け板１４と、受け板を付勢するバネ１３を備えることで、リミットスイッチ３、４の移動範囲を大きくとれることにより、パッキンの変形量に依存することなく、蓋の開閉状態を確実に確認することができる。【選択図】図２
2015202477.tif 000002
【特許請求の範囲】
【請求項１】
本体へ開閉自在に取り付けられる蓋が設けられ、本体側と蓋側とへ夫々取り付けられるセンサーを用いて、蓋の開閉状態を検知する蓋の開閉確認装置において、
前記蓋へ取り付けられる突部と、本体へ取り付けられ前記突部を受ける受け部を設け、該受け部が、突部に当接する受け板と、受け板を付勢するバネを備えることを特徴とする蓋の開閉確認装置。
【請求項２】
前記受け部が、バネの付勢力を調整する調整ボルト備えることを特徴とする請求項１に記載の蓋の開閉確認装置。
【発明の詳細な説明】
【技術分野】
【０００１】
本発明は、混合装置などに取り付けられる開閉自在の蓋の開閉状態を容易に確認するための確認装置に関する。
【背景技術】
【０００２】
コンクリートミキサーや造粒装置などの混合装置は、広く土木作業現場や、建設資材製造現場などで多く用いられている。
前記のような混合装置は、混合槽を備え、混合槽内部の点検や清掃のための開閉可能な蓋や点検扉が設けられている。
この点検扉を用いた混合装置が、例えば、特許文献１（特開２００９−４５５７９号公報）に記載されている。
【先行技術文献】
【特許文献】
【０００３】
【特許文献１】特開２００９−４５５７９号公報
【発明の概要】
【発明が解決しようとする課題】
【０００４】
混合装置に用いられる点検扉は、混合装置の動作時には、確実に閉鎖しておかなければならない。
混合装置の動作時に点検扉が開いていると、その隙間から混合材料が流出してしまい、作業者の安全確保ができなくなる。さらには、混合材料の品質にも悪影響をおよぼす。
そのため、点検扉の開閉状態をリミットスイッチなどの検出手段を用いて確認する点検扉の開閉確認装置を備える場合がある。
従来より、点検扉に用いられる開閉確認装置として、下記のような構成がなされている。開閉する蓋と混合槽との間にゴム材等のパッキンを設け、蓋を閉じる際にパッキンを変形させつつ完全に閉じ、固定金具を用いて蓋の固定を行なうようになされている。
検出手段としてリミットスイッチを蓋と混合槽のそれぞれに設置し、２つのリミットスイッチが設定された一定距離以内に近づくことで蓋と混合槽の接近を検知し、蓋の閉状態を検知するようにする。このとき、パッキンが変形した後の蓋の位置でリミットスイッチが閉状態を検知するようにリミットスイッチの検知範囲を設定される。
【０００５】
このような蓋を閉じる際には、まず蓋をパッキンが変形されない状態まで閉じると、リミットスイッチは検知せず、閉状態とは認知されない。
この後、さらに蓋を閉じて固定金具で固定すると、パッキンが変形してリミットスイッチが接近し、パッキンの変形代分だけリミットスイッチ同士が近づくことでリミットスイッチの検知範囲内に近づき、これにより蓋が閉状態と認知され、例えば操作盤上の表示手段を用いて蓋が閉状態になったことを作業者へ知らしめる。
【０００６】
しかしながら、前述の構造の開閉確認装置においては、以下のような問題がある。
リミットスイッチが検知し、蓋の開閉状態を判断するリミットスイッチ間の距離は、パッキンの変形量に基づく距離であって、非常に微小量距離であり、シビアな開閉判定となってしまう。
そのため、リミットスイッチの取り付けのズレや、経年使用による取り付けねじの緩み等が生じ、リミットスイッチの位置がわずかでも変わると、リミットスイッチが初期設定通りに検知できず、蓋の開閉状態の確認ができない。
【０００７】
したがって、本発明は、このような問題を解消すべく、リミットスイッチによる蓋の開閉状態を確実に認識でき、安全作業を行なうことのできる蓋の開閉確認装置を提案するものである。
【課題を解決するための手段】
【０００８】
上記の課題を解決するために、本発明は、本体へ開閉自在に取り付けられる蓋が設けられ、本体側と蓋側とへ夫々取り付けられるセンサーを用いて、蓋の開閉状態を検知する蓋の開閉確認装置において、蓋へ取り付けられる突部と、本体へ取り付けられ前記突部を受ける受け部を設け、受け部が、突部に当接する受け板と、受け板を付勢するバネを備えることを特徴とする。
また、前記受け部がバネの付勢力を調整する調整ボルトを備えることを特徴とする。
【発明の効果】
【０００９】
このような構成により、本発明は、パッキンの変形量に依存することなく、蓋の開閉状態を確実に把握することができ、作業者の安全を確保できる。
また、パッキンの経年劣化や、使用環境（高温、高湿、粉塵など）によるパッキンの硬化などの材質変化による影響を受けることなく、蓋の開閉状態を確認することができる。
【図面の簡単な説明】
【００１０】
【図１】本発明の実施例に係る蓋と本体の部分側面図である。
【図２】蓋が開状態における開閉確認装置の拡大断面図である。
【図３】蓋が開から閉状態になる間の開閉確認装置の拡大断面図である。
【図４】蓋が閉状態における開閉確認装置の拡大断面図である。
【発明を実施するための形態】
【００１１】
以下に本発明の実施の形態について、詳細に説明する。
図１には本発明の実施例に係る蓋と本体の部分側面図を示している。また、図２には蓋が開状態における開閉確認装置の拡大断面図を示し、図３に蓋が開から閉状態になる間の開閉確認装置の拡大断面図を示し、図４は蓋が閉状態における開閉確認装置の拡大断面図を示している。
【００１２】
本発明の実施例について説明する。
図１に示すように、混合装置の容器側の本体１に開閉自在に設けられる蓋２が備えられている。
蓋２は、図示しないロック機能を有する固定金具を用いて、本体１へ固定される。蓋２にはセンサーとしてリミットスイッチＡ３が取り付けられており、後述する本体１に取り付けられるリミットスイッチＢ４と反応するようになされている。
蓋２には、１箇所または複数個所に突部５が設けられ、本体１側へ突出するピン８を取り付けている。
【００１３】
本体１には、前記突部５から突出するピン８を受ける受け部６が突部５と対抗する箇所へ設けられており、蓋２が閉じたときには、突部５のピン８を収納可能となされている。
本体１に取り付けられたリミットスイッチＢ４は、蓋２へ取り付けられたリミットスイッチＡ３と反応し、２つのリミットスイッチＡ３、Ｂ４が、あらかじめ定めた一定距離以内に近づくと、本体１と蓋２の接近を検知できるようになされている。
【００１４】
図２に示すように、蓋２が開状態では、蓋２は本体１に接触しておらず、本体１と蓋２との間には距離が保たれている。
蓋２に取り付けられた突部５は、蓋２から張り出した取り付け座７に設けられている。取り付け座７には穴が開口されており、この穴を貫通してピン８が設けられている。
ピン８の図２で示す上方には、ネジ部９が形成されており、ナット１０によってピン８を取り付け座７へ挟み込んで固定し、ピン８の図２で示す下端部が本体側に突出されて設けられている。
【００１５】
一方、本体１には、蓋２に設けられた突部５と対向する位置へ受け部６が備えられている。受け部６は、本体１から張り出した取り付け部１１に設けられている。取り付け部１１には、穴１９が開口され、その穴１９へ前記突部５のピン８が挿入されるようになされている。
取り付け部１１には取り付けボルト１８によってケース１２が備えられ、ケース１２の内方空部にはバネ１３が収納されている。
【００１６】
バネ１３の図２に示す上方端部側には受け板１４が設けられ、下方端部側には押し板１６が設けられている。受け板１４と押し板１６はばね１３と同様にケース１２の内方空部へ収納され、バネ１３に付勢されて、バネ１３の変位に合わせて上下移動可能に備えられている。
受け部６の下部には、調整ボルト１５が設けられている。調整ボルト１５は、ケース１２の下方端部に形成されたネジ部１７に接続され、調整ボルト１５のネジ締めにより、押し板１６を上下移動可能となし、バネ１３を伸縮し、バネ１３の付勢力を調整できるようになされている。
【００１７】
次に本実施例の動作を説明する。
点検扉を閉じる際には、図２に示すように、本体１と蓋２との間隔がある状態で、蓋２を閉じる動作が行なわれる。
この状態で蓋２が閉じられると、突部５のピン８の下端部が受け部６に開口された穴１９へ挿入される。
【００１８】
その後、図３に示すように、本体１と蓋２との間には、まだ隙間Ａがあるが、ピン８の最下端が受け部６の受け板１４に当接し、バネ１３の付勢力を受けることで、ピン８の突出部位が全て受け部６へ収納されず、一旦図示する位置で留められる。
また、この状態では、蓋２に備えたリミットスイイチＡ３と、本体１に備えたリミットスイッチＢ４との間隔は、あらかじめ設定した検知できる距離内ではなく、リミットスイッチ同士が検知されていないので、蓋２は開状態と認識されている。
【００１９】
本体１と蓋２に前記のような隙間Ａを有し、ピン８が受け部６の穴１９へ挿入され、バネ１３の付勢力で押されて、蓋２を完全に閉じきらない状態でおかれている安定した状態になされたところで図示しない固定金具を用いて、本体１と蓋２を完全に閉じられる。
このとき、固定金具の閉じる動作により、蓋２を閉じた側（図３における下方側）へ力が加わり、バネ１３の付勢力に抗してピン８が押し下げられる。
【００２０】
この蓋２を完全に閉じた状態を図４に示している。
本体１と蓋２との隙間は０となり、ピン８の突出部位が全て受け部６の内方へ収納される。蓋２を閉じる力でピン８が、受け板１４を下方へ押し下げ、バネ１３が縮められる。図３において、受け板１４も下方への移動距離Ｘがバネ１３の縮められた変化量となる。
このとき、リミットスイッチＡ３とリミットスイッチＢ４は、近接し、あらかじめ設定された距離よりも近づき、本体１と蓋２の接近を検知し、扉が閉じた状態になったと認識される。
【００２１】
本発明の実施例によれば、蓋２が閉じる際に、バネ１３に付勢された受け板１４で受けて一旦そこで位置決めされ、この段階では、リミットスイッチＡ３とリミットスイッチＢ４の間の距離が大きいため反応しないようになされている。
そして、蓋２を完全に閉じるために固定金具で固定すると、蓋２が本体２側へ押し付けられ、ピン８がバネ１３を縮ませて、受け部１４の穴１９へ挿入される。
このとき、バネ１３の変形寸法分の距離で蓋２が本体１へ近づけられ、リミットスイッチＡ３とリミットスイッチＢ４が反応するあらかじめ定めて設定距離より近づくことでリミットスイッチが反応し、蓋２が閉じた状態であることを検知し、蓋２の閉状態が認識される。
【００２２】
また蓋２の開状態から閉状態の確認の際に前述の作用により、蓋２の閉状態が確実に確認されるが、さらに蓋２を開ける際の蓋２の閉状態から開状態に変わる場合においても、固定金具を解除すると、バネ１３の付勢力が蓋２の開方向へ作用し、蓋２が開くようになり、図３で示す状態となる。
この蓋２は、リミットスイッチの反応するあらかじめ定めた設定距離より離れており、リミットスイッチが反応して蓋２が開いた状態であることを検知し、蓋２の開状態を確実に認識される。
【００２３】
従来の方法では、ゴム製パッキンの縮み代分（１ｍｍ程度）のリミットスイッチの移動範囲で蓋２の開閉を判断していたが、本発明の構成によれば、バネ１３の変形距離分のリミットスイッチの移動範囲で蓋２の開閉状態を判断できるようになる。
そのため、従来に比べて検知距離を大きくとれることができ、蓋２の開閉状態の確認を確実に誤り無く行なうことが可能となる。
また、バネ１３を交換できるので、バネ１３の経年劣化に容易に対応可能となり、さらにはバネ１３の付勢力の変更を素早く行い、蓋２の閉じる際に必要な力の微小変更ができる。
【００２４】
本実施例においては、バネ１３の付勢力を調整することを可能とするため、バネ１３の下方端部へ押し板１６を儲け、調整ボルト１５の移動により、バネ１３の付勢力の強弱を調整できるようになされている。この調整ボルト１５は、ケース１２に設けたネジ部１７に螺合されており、調整ボルト１５は回転によって上下動し、押し板１６を上下移動させることでバネ１３を伸び縮みさせてバネ１３の付勢力を変更可能となされている。
【符号の説明】
【００２５】
１    本体
２    蓋
３    リミットスイッチＡ
４    リミットスイッチＢ
５    突部
６    受け部
７    取り付け座
８    ピン
９    ネジ部
１０    ナット
１１    取り付け部
１２    ケース
１３    バネ
１４    受け板
１５    調整ボルト
１６    押し板
１７    ネジ部
１８    取り付けボルト
１９    穴
【図１】
2015202477.tif 000003
【図２】
2015202477.tif 000004
【図３】
2015202477.tif 000005
【図４】
2015202477.tif 000006